(57)【特許請求の範囲】
【請求項１】
日射を遮る構造物が隣接する建物の空調の制御システムであって、
前記建物の特定の外壁面の温度分布を計測するサーモカメラと、
前記建物の前記特定の外壁面側に位置する各ペリメータゾーンの空調の制御量を、前記サーモカメラが捉えた温度分布に基づいて特定される該建物の前記特定の外壁面の日射の分布に対応付けて各々調整する調整手段と、を備える、
空調の制御システム。
【請求項２】
前記構造物によって日射が遮られない箇所に設置される、前記建物の外壁面の日射量を計測する日射センサを更に備え、
前記調整手段は、前記日射センサの出力に応じて給気温度を制御する前記建物の各ペリメータゾーンの空調の制御量を、前記サーモカメラが捉えた温度分布に基づいて特定される該建物の前記特定の外壁面の日射の分布に応じて調整する、
請求項１に記載の空調の制御システム。
【請求項３】
前記調整手段は、前記外壁面のうち前記サーモカメラが捉えた温度分布で相対的に温度の低い部分に対応するペリメータゾーンの空調の給気温度を上げる、
請求項１または２に記載の空調の制御システム。
【発明の詳細な説明】
【技術分野】
【０００１】
本発明は、空調の制御システムに関する。
【背景技術】
【０００２】
情報処理技術の発達に伴い、赤外線カメラを用いた空調システムが提案されている（例えば、特許文献１や２を参照）。
【先行技術文献】
【特許文献】
【０００３】
【特許文献１】特開２００４−１０８６９８号公報
【特許文献２】特開２０００−２２７３６２号公報
【発明の概要】
【発明が解決しようとする課題】
【０００４】
陽が射しているときは、同じ室内であっても窓に近いペリメータゾーンに日射が注ぐ。このため、窓から離れたインテリアゾーンよりも暖かく感じやすい。そこで、ペリメータゾーンに供給する空気の温度をインテリアゾーンよりも低くすることで、ペリメータゾーンを快適にすることが考えられる。しかしながら、都市部のように日射を遮るビルディングや高架道路等の構造物が林立する地域ではこれらの構造物によって日射が部分的に遮られたりする。このため、建物に注ぐ日射の有無でペリメータゾーンの空調を制御しても、感じられる快適性が一律でない。
【０００５】
本発明は、このような課題に鑑みてなされたものであり、ペリメータゾーンの快適性が向上する空調の制御システムを提供することを課題とする。
【課題を解決するための手段】
【０００６】
上記課題を解決するため、本発明では、建物内の各ペリメータゾーンの空調の制御量を、サーモカメラが捉えた温度分布に基づいて特定される建物の外壁面の日射の分布に応じて調整することにした。
【０００７】
詳細には、日射を遮る構造物が隣接する建物の空調の制御システムであって、前記建物の外壁面の温度分布を計測するサーモカメラと、前記建物の各ペリメータゾーンの空調の制御量を、前記サーモカメラが捉えた温度分布に基づいて特定される該建物の外壁面の日射の分布に応じて調整する調整手段と、を備える。
【０００８】
上記制御システムにおいては、ペリメータゾーンの温度に影響を与える日射をサーモカメラで捉えている。そして、サーモカメラに基づいて特定される外壁面の日射の分布に応じて、各ペリメータゾーンの空調の制御量を調整する。このため、建物に隣接する構造物によって外壁面の一部で日射が遮られても、日射が遮られている部分と遮られていない部分とを分けて捉え、各ペリメータゾーンの空調を日射に応じて部分毎に調整する。よって、特定のペリメータゾーンの空調制御が、日射が無いにも関わらず日射がある場合の制御方法で行なわれたり、日射があるにも関わらず日射が無い場合の制御方法で行なわれたりすることが無くなる。この結果、ペリメータゾーンの快適性が向上する。
【０００９】
なお、上記制御システムは、次のような構成を採ってもよい。例えば、前記構造物によって日射が遮られない箇所に設置される、前記建物の外壁面の日射量を計測する日射センサを更に備え、前記調整手段は、前記日射センサの出力に応じて給気温度を制御する前記
建物の各ペリメータゾーンの空調の制御量を、前記サーモカメラが捉えた温度分布に基づいて特定される該建物の外壁面の日射の分布に応じて調整するものであってもよい。
【００１０】
このように構成される空調の制御システムであれば、日射量について日射センサによって正確に捉えられるため、サーモカメラによって日射があることを捉えた部分のペリメータゾーンの空調をより最適に制御できる。
【００１１】
また、前記調整手段は、前記外壁面のうち前記サーモカメラが捉えた温度分布で相対的に温度の低い部分に対応するペリメータゾーンの空調の給気温度を上げるものであってもよい。
【００１２】
このように構成される空調の制御システムであれば、各ペリメータゾーンで日射の無い部分の空調の給気温度が上がるため、日射がある部分と日射が無い部分との温度差が緩和され、ペリメータゾーンの快適性が向上する。
【発明の効果】
【００１３】
ペリメータゾーンの快適性が向上する。
【図面の簡単な説明】
【００１４】
【図１】空調の制御システムの構成図である。
【図２】制御システムの適用例である。
【図３】ビルディングを上から見た図である。
【図４】ビルディング内の特定のフロアを示した図である。
【図５】空調システムの概要図である。
【図６】給気温度と外気温度との関係を日射の有無毎に定義したマップである。
【図７】給気温度と外気温度との関係を日射量毎に定義したマップである。
【図８】日射が一部で遮られているときのビルディングの外壁面を見た図である。
【図９】変形例に係る空調の制御システムの構成図である。
【図１０】変形例に係る制御システムの適用例である。
【図１１】変形例に係る制御システムを適用したビルディングを上から見た図である。
【発明を実施するための形態】
【００１５】
本発明の実施形態に係る空調の制御システムの構成を図１に示す。制御システム１は、図１に示すように、制御ユニット２や外気温センサ３、サーモカメラ群４を備える。制御ユニット２とサーモカメラ群４は、図示しない通信機器類により形成される通信回線で繋がっている。
【００１６】
制御ユニット２は、ＣＰＵ（Central Processing Unit）５、ハードディスクやメモリ
等を有する記憶装置６、キーボードやマウス等が接続されユーザ操作を受け付ける入力装置７、液晶ディスプレイ等の表示装置８、及びセンサ類や空調機器が繋がる入出力インターフェース９を備える。
【００１７】
制御システム１を適用するビルディングを図２に示す。制御システム１が適用されるビルディング１０Ａは、図２に示すように、ビルディング１０Ｂが隣接している。ビルディング１０Ａは、図２に示すように、隣接するビルディング１０Ｂによって日射が遮られる位置に建っている。このため、ビルディング１０Ａの外壁面には、陽が当たる部分と当たらない部分とが生じる。
【００１８】
図３は、ビルディング１０Ａとビルディング１０Ｂを上から見た図である。サーモカメ
ラ群４は、ビルディング１０Ａの周辺に設置されている。サーモカメラ群４は、外壁面の温度分布を計測できる箇所に設置されており、本実施形態では、ビルディング１０Ａの北側、東側、南側、西側にサーモカメラ４Ｎ、サーモカメラ４Ｅ、サーモカメラ４Ｓ、サーモカメラ４Ｗがそれぞれ設置されている。なお、サーモカメラ群４は、外壁面にあたる日射に影が生じ得る外壁面の温度分布を計測し得る箇所であれば何れの箇所に設置されていてもよく、例えば、隣接するビルディング１０Ｂ等の建物に設置したり、或いはビルディング１０Ａの下層階等で外壁面から突き出た軒等に設置したりしてもよい。各サーモカメラ４Ｎ，４Ｗ，４Ｓ，４Ｅは、２０万画素程度の安価なものでよい。サーモカメラがこの程度の解像度であっても、各ペリメータゾーンの空調制御に十分に用いることができる。
【００１９】
図４は、ビルディング１０Ａ内の特定のフロアを示した図である。ビルディング１０Ａ内の各フロアは、図４に示すように、居室が４つのブロック（ブロック１〜４）に区画されている。ビルディング１０Ａの空調システムは、各ブロックのインテリアゾーンの空気を調整するインテリア空調機と、各ブロックの窓側に設定されるペリメータゾーンの空気を調整するペリメータ空調機とを備えている。インテリア空調機およびペリメータ空調機は、機械室内等に設置されるエアハンドリングユニットであり、給気温度を冷温水の通水量と空調ファンの回転数、還気路、外気取入路に取り付けたダンパの開度の少なくも何れかで制御する。
【００２０】
図５は、ビルディング１０Ａの空調システムの概略図である。図５に示すように、各フロアのインテリアゾーンには、インテリア空調機１１から送られる空気が供給される。また、各フロアのペリメータゾーンには、ペリメータ空調機１２から送られる空気が供給される。インテリア空調機１１およびペリメータ空調機１２の電動ファン１３，１４は、Ｖ／Ｆ制御のインバータによって供給電圧および周波数が調整されることにより、広範な可変速運転を行なう。
【００２１】
インテリア空調機１１からインテリアゾーンへ送られる空気が流れる空気ダクトの途中には、インテリアゾーンの温度をＶＡＶ（Variable Air Volume）方式で制御するための
風量調整用のダンパ１５が設けられている。各ダンパ１５は、任意に設定されたインテリアゾーンの目標温度と実温度との温度差が大きい場合には風量が多くなるように開度を増し、温度差が小さい場合には風量が少なくなるように開度を減ずる。インテリアゾーンの目標温度は、予め設定した固定値であってもよいし、居室に居る者が任意に設定した値であってもよい。インテリア空調機１１から送られてインテリアゾーンに吹き出る空気は、天井に設けた複数の吹き出し口から吹き出る。なお、インテリアゾーンには、設定温度を個別に設定可能なＶＡＶゾーンを複数箇所設定しておき、各吹き出し口の風量をＶＡＶゾーン毎に調整可能なようにしてもよい。
【００２２】
一方、ペリメータ空調機１２からペリメータゾーンへ送られる空気が流れる空気ダクトの途中には、ＶＡＶ方式で制御するための風量調整ダンパが設けられていない。ペリメータゾーンへの給気の温度は、ペリメータ空調機の冷温水の通水量を変えて制御する。ペリメータゾーンは、ビルの外の影響を受けないインテリアゾーンと異なり、ビルの外壁に近い壁際部である。ペリメータゾーンは、このように外気や日射の影響を受けやすいため、インテリアゾーンとは異なった空調制御を行う。
【００２３】
なお、ペリメータゾーンへ送られる空気の風量は、次のようにして決定する。まず、想定される室温を仮定し、これに対するピーク負荷時の給還気温度差を設定する。そして、ピーク時の熱負荷を設定した給還気温度差で処理できる風量を選定する。選定した風量を、ペリメータ空調機からペリメータゾーンへ送る風量とする。例えば、想定される室温が２５℃であり、給還気温度差を例えば１０℃に設定したとする。この場合の空気の風量は、ピーク時の熱負荷を１０℃差の給気で処理できる風量とする。例えば、夏季ピーク時で
あれば、設定室温２５℃に対して１０℃差である給気温度１５℃の空気で熱負荷を処理できる風量を選定する。なお、選定する風量や設定する給還気温度差、想定室温は、ビルディング１０Ａの断熱性能や想定される日射量、空調機の性能等に応じて変える。
【００２４】
ペリメータゾーンの空調制御は、以下のようにして行う。ペリメータゾーンの熱負荷は、主に以下の４つの要素の合計からなる。
１：日射量および外気温度による窓部日射負荷
２：外壁部貫流負荷（熱伝達率は、例えば設計値を使用）
３：内部発熱（コンセント、照明負荷、例えば単位面積あたりの設計値を使用）
４：人体負荷、外気負荷（本実施形態では０とする。設計負荷に算入する場合には顕熱負荷分を算定）
【００２５】
ペリメータゾーンの熱負荷は、窓からの日射負荷や外壁の貫流負荷による影響が大きい。そこで、ペリメータゾーンの空調制御は、外気温度や日射量の変化に対して感度良く、そして素早い制御を実現することが、ペリメータゾーンの温熱環境の向上につながる。そこで、制御システム１は、外気温度や日射量の変化といった外的要因をサーモカメラ群４や外気温センサ３で捉えてフィードフォワード制御を行うことにより、これらの外的要因がペリメータゾーンの温度に影響を与えないように空調システムを制御する。
【００２６】
制御システム１は、空調制御を実行するコンピュータプログラムが実行されると、各ペリメータゾーンへ送る空気の給気温度を、図６に示すマップに基づいてそれぞれ決定する。図６に示すマップは、予め作成されて記憶装置６に格納されたものである。本実施形態では、図６のマップに示すように、外気温度と給気温度との関係を線形な関数で定義しており、横軸をｘ、縦軸をｙとすると、日射が無い場合はｙ＝−０．２９４２ｘ＋３２．３５６、日射がある場合はｙ＝−０．２９４２ｘ＋２７．４８２としている。なお、外気温度と給気温度との関係を定義するこれらの関数の各係数は、ビルディング１０Ａの断熱性能や空調システムの性能、想定される気象条件等に応じて異なる。各係数は以下の式に基づいて決定される。
（給気温度）＝（仮定した室温）−（温度差）
（温度差）＝（日射量と外気温度による負荷）÷（選定した風量）
【００２７】
ここで、制御システム１は、全てのフロアに設定されている各ペリメータゾーンへ送る空気の温度（給気温度）と外気温度との関係を定義するにあたり、上記式が示すように、給気温度の決定に際して日射量を用いている。図６に示すマップでは、給気温度と外気温度との関係を定義するにあたり、日射がある場合と日射が無い場合の２つに分けている。なお、給気温度と外気温度との相関関係は、図７に示すように、日射量ごとに細かく定義してもよい。図７に示すマップでは、給気温度と外気温度との相関関係を以下の式に基づいて定義している。各係数は上記の式に基づいて決定される。
日射量    ０（Ｗ／ｍ２）：ｙ＝−０．２９４２ｘ＋３２．３５６
日射量  ５０（Ｗ／ｍ２）：ｙ＝−０．２９４２ｘ＋３１．８２６
日射量１００（Ｗ／ｍ２）：ｙ＝−０．２９４２ｘ＋３０．６５８
日射量２００（Ｗ／ｍ２）：ｙ＝−０．２９４２ｘ＋２９．５９９
日射量３００（Ｗ／ｍ２）：ｙ＝−０．２９４２ｘ＋２８．５４０
日射量４００（Ｗ／ｍ２）：ｙ＝−０．２９４２ｘ＋２７．４８２
【００２８】
ところで、既述したように、ビルディング１０Ａの外壁面には、陽が当たる部分と当たらない部分とが生じる。そこで、制御システム１は、給気温度の決定に際し、サーモカメラ群４によって特定される各ペリメータゾーンの日射の有無に基づき、マップ上で参照すべき関数を決定する。すなわち、制御システム１は、特定のペリメータゾーンの給気温度を決定するにあたり、サーモカメラ群４によって当該ペリメータゾーンに日射があること
を検知していれば、日射がある場合の外気温度と給気温度との相関関係を定義するマップと実外気温度とに基づいて決定した値を、当該ペリメータゾーンへの給気温度として決定する。また、制御システム１は、当該ペリメータゾーンに日射が無いことを検知していれば、日射が無い場合の外気温度と給気温度との相関関係を定義するマップと実外気温度とに基づいて決定した値を、当該ペリメータゾーンへの給気温度として決定する。なお、サーモカメラ群４によって日射が無いことを捉えた部分については、日射量を０（Ｗ／ｍ２）として扱うのではなく、例えば、日射がある部分よりもやや低い日射量、例えば、−５０（Ｗ／ｍ２）の日射量、或いは−１００（Ｗ／ｍ２）の日射量といった具合に、日射がある部分の日射量に対し減算する処理であってもよい。各サーモカメラ４Ｎ，４Ｗ，４Ｓ，４Ｅが捉えた画像と対応するペリメータゾーンの位置との相関関係は、画像中の位置とペリメータゾーンの位置との相関を予め割り付けた既定のテーブルに基づいて特定する。
【００２９】
なお、サーモカメラ群４は、外壁面の温度（特に、ペリメータゾーンの空調に影響を与える外壁面の窓のガラスの表面温度）を計測するものであって日射の有無を計測し得るものではない。しかし、本実施形態では、サーモカメラ群４によって捉えた外壁面の温度が、他の面の外壁面や外気温と比較することで相対的に決定される所定の閾値を超えていれば日射があるとして処理し、超えていなければ日射が無いとして処理している。このような所定の閾値は、季節や外気温度との関係で適切に補正されるように、日時のデータや外
気温度のデータを用いて随時補正してもよいし、或いは、４面ある外壁面のそれぞれの温度を比較することで特定の外壁面に日射があるか否かを特定するようにしてもよい。また、給気温度と外気温度との相関を図７に示すように日射量に応じて段階的に設定している場合は、サーモカメラ群４によって捉えた外壁面の温度に応じて何れの日射量のマップを参照するかを予め定義しておき、計測した外壁面の実温度から参照するマップを決定するようにしてもよい。例えば、あるペリメータゾーンに対応する部分の外壁面の温度が１０℃であることがサーモカメラ群４によって計測された場合は、当該ペリメータゾーンの給気温度を決定するにあたり、日射量が５０（Ｗ／ｍ２）の関数を参照するものとし、２０℃の場合であれば２００（Ｗ／ｍ２）、２５℃であれば４００（Ｗ／ｍ２）といった具合に参照する関数を変えていく。もっとも、このような関係はあくまで一例に過ぎない。サーモカメラ群４によって計測された温度に対応する日射量を何れにするかは、外気温度や季節、ビルの外壁面の色や材質等に応じて適宜決定する。
【００３０】
例えば、図８に示すように、ビルディング１０Ａが９階建てであり、南側の外壁面のうち１階から８階まで左側の日射が遮られているものとする。この場合、制御システム１は、ビルディング１０Ａの９階のペリメータゾーン３−１，４−１の給気温度について、日射があるとした場合に実外気温度と上記マップから特定される値を給気温度として決定する。ビルディング１０Ａの１階から８階のペリメータゾーン４−１についても同様である。一方、制御システム１は、ビルディング１０Ａの１階から８階のペリメータゾーン３−１の給気温度について、日射量が無いとした場合に実外気温度と上記マップから特定される値を給気温度として決定する。制御システム１が決定した給気温度は、各ペリメータゾーンへ空気を送るペリメータ空調機１２へ伝えられる。ペリメータ空調機１２は、図示しない給気温度センサからの出力と制御システム１から伝えられる給気温度の制御目標値とを比較してヒーティングコイルやクーリングコイルを流れる冷温水の流量を流量調整弁の開度変更によって調整するフィードバック制御を行う。この結果、各ペリメータゾーンの温度は日射の変化に関わらず既定の２５℃に維持される。なお、日射があるペリメータゾーンへ給気される空気の温度は、日射が無いペリメータゾーンへ給気される空気の温度よりも低くなる。
【００３１】
なお、制御システム１は、同一のペリメータゾーンに対応する外壁面の特定の領域内に、日射がある部分と無い部分とが混在している場合、当該ペリメータゾーンの給気温度を次のように決定する。すなわち、制御システム１は、同一のペリメータゾーンに対応する
外壁面の特定の領域内に、日射がある部分と無い部分とが混在している場合、当該ペリメータゾーンの快適性が最も高くなるように給気温度を決定する。当該ペリメータゾーンの快適性が最も高くなるようにするには、例えば、日射がある部分と無い部分の何れの面積が大きいかを特定して面積の大きい方を採る。このようにすれば、当該ペリメータゾーンに人が均等に居る場合に、快適と感じない人の数よりも快適と感じる人の数の方が多くなるので、当該ペリメータゾーンの快適性が最も高くなると言える。もっとも、ペリメータゾーンに給気する空気の温度を細かいゾーン毎に調整可能なように空調システムを構成すれば、ペリメータゾーンの快適性をより高くできる。
【００３２】
なお、制御システム１は、日射に応じた制御の処理については、例えば、日射が存在し得る日中の時間帯にのみ実行するようにしてもよい。日射を計測する際の計測周期は、日射の変化の速度やフィードフォワード制御が空調制御に与える影響の乗数に応じて適宜決定する。
【００３３】
ところで、上記実施形態では、サーモカメラ群４は現在の日射状態を捉える目的で利用されているが、例えば、影になっている部分の動きを捉えて日射の変化の予測に用いることもできる。日射の変化の予測は、サーモカメラ群４の映像で日射が遮られている部分と遮られていない部分との境界の動きを追跡し、この境界部分が動く速度や方向を解析して次の動きを予測することで実現する。このようにして予測される日射の変化を捉えて各ペリメータゾーンにおける給気温度のフィードフォワード制御を行えば、ペリメータゾーンの快適性の更なる向上を図ることができる。また、上記実施形態であれば、サーモカメラによって日射の有無を捉えているため、各ペリメータゾーンに日射センサを設置して個別に日射の有無を捉える場合に比べて設備の費用を削減できる他、各ペリメータゾーンに日射センサを設置しても得ることのできない日射の変化の予測を実現できる。
【００３４】
上記実施形態の変形例に係る空調用の制御システムの構成を図９に示す。制御システム１’は、図９に示すように、制御ユニット２や外気温センサ３、サーモカメラ群４の他、外壁面の単位面積あたりの日射量を計測する日射センサ群１６を備える。
【００３５】
制御システム１’を適用するビルディングを図１０に示す。制御システム１’が適用されるビルディング１０Ａは、図１０に示すように、サーモカメラ群４の他に、日射センサ群１６が屋上に設置されている。日射センサ群１６は、図１０に示すように、太陽の方角や気象条件に応じて日射量が変化し得る外壁面の頂部に設置されており、本実施形態では、北側、東側、南側、西側の外壁面の頂部に日射センサ１６Ｎ、日射センサ１６Ｅ、日射センサ１６Ｓ、日射センサ１６Ｗが設置されている。なお、日射センサ群１６は、外壁面の日射量を計測し得る箇所であれば何れの箇所に設置されていてもよく、ビルディング１０Ａの屋上に設置する態様に限定されるものではない。なお、サーモカメラ群４については、上述した実施形態に係る制御システム１と異なり、ビルディング１０Ｂによって日陰が生じ得るビルディング１０Ａの南側、および西側にのみ、サーモカメラ４Ｓ、およびサーモカメラ４Ｗがそれぞれ設置されている。
【００３６】
本変形例に係る制御システム１’は、外気温度や日射量の変化といった外的要因を日射センサ群１６とサーモカメラ群４で捉えてフィードフォワード制御を行うことにより、これらの外的要因がペリメータゾーンに温度変化を与える前にこれらの影響を抑制する。制御システム１’は、全てのフロアに設定されている各ペリメータゾーンへ送る空気の温度（給気温度）の決定にあたり、給気温度の決定に際して外気温度と外壁面の温度の他に日射量を用いている。例えば、南側に面しているペリメータ３−１，４−１の給気温度の決定は、南側の外壁面の日射量を計測する日射センサ１６Ｓの計測値と実外気温度、及び図７に示したマップに基づいて行なう。西側や東側、北側についても同様である。
【００３７】
ここで、制御システム１’は、給気温度の決定に際し、サーモカメラ群４によって計測される外壁面の温度分布に基づいて特定される各ペリメータゾーンの日射の有無に基づき、マップ上で参照すべき関数を決定する。すなわち、制御システム１’は、特定のペリメータゾーンの給気温度を決定するに当たり、サーモカメラ群４によって当該ペリメータゾーンに日射があることを検知していれば、当該ペリメータゾーンに対応する日射センサ群１６において計測される日射量、及び外気温度に基づいてマップから特定した値を給気温度として決定する。また、制御システム１’は、特定のペリメータゾーンの給気温度を決定するに当たり、サーモカメラ群４によって当該ペリメータゾーンに日射が無いことを検知していれば、日射量を０（Ｗ／ｍ２）とした場合に外気温度に基づいてマップから特定した値を給気温度として決定する。
【００３８】
例えば、図７に示した例であれば、制御システム１’は、ビルディング１０Ａの９階のペリメータゾーン３−１，４−１の給気温度について、日射センサ１６Ｓの計測値および実外気温度に基づいて図７のマップから特定される値を給気温度として決定する。ビルディング１０Ａの１階から８階のペリメータゾーン４−１についても同様である。一方、制御システム１’は、ビルディング１０Ａの１階から８階のペリメータゾーン３−１の給気温度について、日射量を０（Ｗ／ｍ２）とした場合に実外気温度に基づいて図７のマップから特定した値を給気温度として決定する。
【００３９】
このように、サーモカメラの他に日射センサを併用すれば、給気温度をより精細に決定することができる。この結果、ペリメータゾーンの空調がより精度良く制御されるので、ペリメータゾーンの快適性を更に向上させることができる。
【００４０】
なお、上記実施形態や変形例では、各フロアを４つのブロックに分けられているが、３以下のブロックあるいは５以上のブロックに分けられていてもよい。また、これらの区分けが各フロアで互いに異なっていてもよい。
【符号の説明】
【００４１】
１，１’・・制御システム
２・・制御ユニット
４・・サーモカメラ群
１０Ａ，１０Ｂ・・ビルディング
１１・・インテリア空調機
１２・・ペリメータ空調機
１６・・日射センサ群
【図１】
0005508080.tif 000002
【図２】
0005508080.tif 000003
【図３】
0005508080.tif 000004
【図４】
0005508080.tif 000005
【図５】
0005508080.tif 000006
【図６】
0005508080.tif 000007
【図７】
0005508080.tif 000008
【図８】
0005508080.tif 000009
【図９】
0005508080.tif 000010
【図１０】
0005508080.tif 000011
【図１１】
0005508080.tif 000012